(57)【特許請求の範囲】
【請求項１】
対向する一対の立壁と、立壁間に略水平に設けられる棚板とを備えた棚板保持構造において、棚板後部を立壁と略直交する方向の軸を中心として回動自在に設けると共に、立壁内面に出没自在の棚受け突起を設けたものであり、棚板は略長方形状でその長手方向の寸法を立壁間の幅内寸と同程度とすると共に、棚受け突起を両側に設けて棚板の前部両側で棚受け突起に係止されるようになしたことを特徴とする棚板保持構造。
【請求項２】
棚板の前端縁にラッチを設けると共に立壁後部に背面壁を設け、この背面壁に、棚板の回動軸より上側で棚板を格納する凹部と、該凹部の上部側壁でラッチを受けるラッチ受けを設けたことを特徴とする請求項１記載の棚板保持構造。
【請求項３】
立壁間頂部に天板を設けると共に立壁間底部に底板を設けて箱状体を形成し、この箱状体内部に棚板を設けたことを特徴とする請求項２記載の棚板保持構造。
【請求項４】
箱状体をエレベーター籠とし、棚板を腰掛けとしたことを特徴とする請求項３記載の棚板保持構造。
【発明の詳細な説明】
【０００１】
【発明の属する技術分野】
本発明は、対向する一対の立壁と、立壁間に略水平に設けられる棚板とを備えた棚板保持構造に関するものである。
【０００２】
【従来の技術】
従来から、対向する一対の立壁間に設けられる棚板は、棚受け桟を立壁に設けて、この棚受け桟に棚板を係止するようにしていた。
【０００３】
これにより、必要に応じて棚板を着脱することができ、限られたスペースを有効に活用することができた。
【０００４】
ところが、この場合、外した棚板を他の場所に置いておかなくてはならず、その為には場所の確保が必要となり、その結果棚板を必要に応じて着脱することが面倒なものとなり、棚板は一度係止された後は一度も外されることもないままその役目を終えてしまうことが多々あった。
【０００５】
そこで、図５乃至８に示すように、棚板（２）をユニット（１４）内に格納し、このユニット（１４）を壁（１１）に埋設することで、壁（１１）内に棚板（２）が格納されるようにしたタイプのものが考案された。この場合は腰掛け用の棚板（２）で、必要に応じてユニット（１４）の中から引出される様にしてある。具体的なメカニズムを説明すると、棚板（２）をユニット（１４）内部で回動自在に係合すると共に、棚板（２）前端縁に支持板（１２）を設け、棚板（２）と支持板（１２）とで腰掛けを形成する。支持板（１２）は棚板（２）と回動自在に設けられ、棚板（２）格納の際は棚板（２）と重なりあって一枚の板であるかの如く畳まれる。又、棚板（２）下部には支持板（１２）の回動角範囲を制御する為にアーム（１３）が設けられており、アーム（１３）先端部が支持板（１２）裏側に係止されることで支持板（１２）が棚板（２）に対して所定の角度で固定されようにしている。
【０００６】
この考案により、棚板（２）をユニット（１４）内に簡単に格納できるようになり、棚板（２）が必要でない場合には棚板（２）をユニット（１４）内に格納し、棚板（２）が略水平状態で占有していたスペースを必要に応じて有効活用することができるようになった。
【０００７】
【発明が解決しようとする課題】
しかしながら、上記従来の技術においては、支持板（１２）を壁（１１）内に格納する為に複雑なメカニズムが必要とされてしまう。
【０００８】
本発明は、上記事由に鑑みてなしたもので、その目的とするところは簡単な構造で、棚板を取り外すことなく棚板が略水平状態で占有していたスペースを有効活用することのできる棚板保持構造を提供することにある。
【０００９】
【課題を解決するための手段】
上記目的を達成するために、本発明の棚板保持構造にあっては、請求項１に記載したように、対向する一対の立壁と、立壁間に略水平に設けられる棚板とを備えた棚板保持構造において、棚板後部を立壁と略直交する方向の軸を中心として回動自在に設けると共に、立壁内面に出没自在の棚受け突起を設けている。
【００１０】
これにより、簡単な構造で、棚板を取り外すことなく棚板が略水平状態で占有していたスペースを有効活用することができる。即ち、本発明によると、棚板を使用する際には棚受け突起を突出させて棚板を係止し、棚板未使用の際には立壁内面に棚受け突起を格納して棚板を略垂直状態にすることができるので、立壁周りを簡単に片付けることができ、使い勝手の良いスペースとすることができる。
【００１１】
又、本発明の棚板保持構造にあっては、請求項１に記載したように、棚板は略長方形状でその長手方向の寸法を立壁間の幅内寸と同程度とすると共に、棚受け突起を両側に設けて棚板の前部両側で棚受け突起に係止されるようになしてもいる。
【００１２】
この場合、棚板の保持が一層強固なものとなる。棚板の両側で棚板を受けるので保持強度が増す。片側だけの保持の場合に比べ強固なものとなる。又、棚板の幅を立壁間の幅内寸と同程度とすることで、棚板側方から棚板へ載せたものが落ちるのを防ぐことができる。
【００１３】
又、本発明の棚板保持構造にあっては、請求項２に記載したように、棚板の前端縁にラッチを設けると共に立壁後部に背面壁を設け、この背面壁に、棚板の回動軸より上側で棚板を格納する凹部と、該凹部の上部側壁でラッチを受けるラッチ受けを設けても良い。
【００１４】
この場合、棚板を背面壁に納めた状態で固定することができる。即ち、背面壁に設けた凹部で棚板を格納し、凹部の上部側壁に設けたラッチ受けで棚板のラッチを固定する。凹部に棚板を納めた状態で固定できるので、棚板が略水平状態で占有していたスペースを棚板が回動して落ちてくることを心配することなく活用することができる。更に、棚板の回動軸より上側で棚板を格納するので、棚板を引出す際には棚受け突起を突出させた状態で、その上側から倒すようにして係止させることができる。
【００１５】
又、本発明の棚板保持構造にあっては、請求項３に記載したように、立壁間頂部に天板を設けると共に立壁間底部に底板を設けて箱状体を形成し、この箱状体内部に棚板を設けても良い。
【００１６】
この場合、箱状体内部を有効に使える。箱状体は内部空間が立壁、背面壁、天板、底板で囲まれてしまうので、スペースの有効活用が一層重要になってくる。スペースの有効活用が一層重要となる箱状体内部に背面壁への格納が容易な棚板を設けた本発明は有用な発明といえる。
【００１７】
又、本発明の棚板保持構造にあっては、請求項４に記載したように、箱状体をエレベーター籠とし、棚板を腰掛けとしても良い。
【００１８】
この場合、エレベーター籠内部のスペースを有効に活用できる。エレベーター籠内部は建築物の中でもひときわ狭い。ところが、狭い空間であっても腰掛け等の設備が所望される。これは、エレベーターの運行時間が長くなる例えば高層ビル用のエレベーターとか、老齢者、身体障害者等の頻繁な使用が考慮される場合において特に重要な要素となる。又、一方では、エレベーターは使うが腰掛けを特には必要とはしないユーザーも存在する。本発明は、このような相反するユーザーが共に満足して使用することのできるエレベーター籠を提供することができる。腰掛けが必要な際は棚受け突起を突出させて棚板を係止し、必要としない場合は棚受け突起を格納して棚板を背面壁に格納してしまえば良い。
【００１９】
【発明の実施の形態】
［第１の実施の形態］図１乃至３は、本発明の請求項１乃至４に対応する一実施の形態の棚板保持構造を示す説明図である。
【００２０】
この実施の形態の棚板保持構造は、請求項１に記載したように、対向する一対の立壁（１）と、立壁（１）間に略水平に設けられる棚板（２）とを備えた棚板保持構造において、棚板（２）後部を立壁と略直交する方向の軸を中心として回動自在に設けると共に、立壁（１）内面に出没自在の棚受け突起（３）を設けている。
【００２１】
又、該実施の形態の棚板保持構造は、請求項１に記載したように、棚板（２）は略長方形状でその長手方向の寸法を立壁（１）間の幅内寸と同程度とすると共に、棚受け突起（３）を両側に設けて棚板（２）の前部両側で棚受け突起（３）に係止されるようになしてもいる。
【００２２】
又、該実施の形態の棚板保持構造は、請求項２に記載したように、棚板（２）の前端縁にラッチ（４）を設けると共に立壁（１）後部に背面壁（５）を設け、この背面壁（５）に、棚板（２）の回動軸より上側で棚板（２）を格納する凹部（６）と、該凹部（６）の上部側壁でラッチ（４）を受けるラッチ受け（７）を設けてもいる。
【００２３】
又、該実施の形態の棚板保持構造は、請求項３に記載したように、立壁（１）間頂部に天板（８）を設けると共に立壁（１）間底部に底板（９）を設けて箱状体（１０）を形成し、この箱状体（１０）内部に棚板（２）を設けてもいる。
【００２４】
又、該実施の形態の棚板保持構造は、請求項４に記載したように、箱状体（１０）をエレベーター籠とし、棚板（２）を腰掛けとしてもいる。
【００２５】
図１はエレベーター籠の内部を示している。このエレベーター籠は背面壁（５）に回動自在に係合する棚板（２）と、棚板（２）を受ける突出自在な棚受け突起（３）を備えている。
【００２６】
棚板（２）は略長方形形状で積載用用途に限らず、人が腰掛ける腰掛けにも使える程度の強度も備えている。又、棚板（２）は背面壁（５）の厚みより薄くもしており、背面壁（５）に設けた凹部（６）に格納した際に、前端縁に設けたハンドル付のラッチ（４）のハンドル部（４ａ）を除いて背面壁（５）壁面に飛び出ることなく納まるようにしてもいる。又、棚板（２）の前部で棚受け突起（３）に係止されるようにしてもいるので、充分な棚板（２）強度を確保することができる。
【００２７】
図２に示すように突出自在な棚受け突起（３）は立壁（１）に設けた穴（３ａ）と、裏面にバネ（３ｂ）を配した突起本体（３ｃ）とからなる。突起本体（３ｃ）にバネ（３ｂ）の収縮時寸法を加えた長さを穴（３ａ）の深さと略同一にして立壁（１）に棚受け突起（３）を格納した際に大きな段差が生じないようにしている。突出状態と格納状態の切り替えは突起本体（３ｃ）を穴（３ａ）の中に押し込むことで交互に切り替わるようにしている。
【００２８】
図３に示すように、ハンドル付のラッチ（４）は、棚板（２）の回動軸と平行に設けたラッチの回動軸を境に手前側のハンドル部（４ａ）と、奥側のラッチ部（４ｂ）とで形成される。ここでいうハンドル部（４ａ）とラッチ部（４ｂ）は機能上分けただけで、ハンドル付のラッチ（４）はハンドル部（４ａ）とラッチ部（４ｂ）が一体になったものである。断面において、ハンドル部（４ａ）とラッチ部（４ｂ）は略直交する位置関係となっており、ラッチ部（４ｂ）の先端には四半円形状のラッチ本体（４ｃ）を備え、ラッチ本体（４ｃ）の断面円弧状の部分が立壁（１）奥側にくるようにしてある。
【００２９】
又、この略９０度の位相のずれを利用して、ハンドル部（４ａ）によるラッチ部（４ｂ）の操作を行う。即ち、図３に示すように、ハンドル部（４ａ）が下方を向いているとラッチ部（４ｂ）は略水平で、ラッチ本体（４ｃ）は上方を向き、ラッチ受け（７）に係止する。ここでハンドル部（４ａ）を手前に引いて略水平にすると、ラッチ部（４ｂ）は下方を向き、ラッチ本体（４ｃ）はラッチ受け（７）から外れ略水平となる。これにより、棚板（２）の固定が外れ棚板（２）を回動させることができる。
【００３０】
したがって、以上説明した棚板保持構造によると、簡単な構造で、棚板（２）を取り外すことなく棚板（２）が略水平状態で占有していたスペースを有効活用することができる。即ち、本発明によると、棚板（２）を使用する際には棚受け突起（３）を突出させて棚板（２）を係止し、棚板（２）未使用の際には立壁（１）内面に棚受け突起（３）を格納して棚板（２）を略垂直状態にすることができるので、立壁（１）周りを簡単に片付けることができ、使い勝手の良いスペースとすることができる。
【００３１】
又、棚板（２）の保持が強固なものとなる。棚板（２）の両側で棚板（２）を受けるので保持強度が増す。片側だけの保持の場合に比べ強固なものとなる。又、棚板（２）の幅を立壁（１）間の幅内寸と同程度とすることで、棚板（２）側方から棚板（２）へ載せたものが落ちるのを防ぐことができる。
【００３２】
又、棚板（２）を背面壁（５）に納めた状態で固定することができる。即ち、背面壁（５）に設けた凹部（６）で棚板（２）を格納し、凹部（６）の上部側壁に設けたラッチ受け（７）で棚板（２）のラッチ（４）を固定する。凹部（６）に棚板（２）を納めた状態で固定できるので、棚板（２）が略水平状態で占有していたスペースを棚板（２）が回動して落ちてくることを心配することなく活用することができる。更に、棚板（２）の回動軸より上側で棚板（２）を格納するので、棚板（２）を引出す際には棚受け突起（３）を突出させた状態で、その上側から倒すようにして係止させることができる。
【００３３】
又、箱状体（１０）内部を有効に使える。箱状体（１０）は内部空間が立壁（１）、背面壁（５）、天板（８）、底板（９）で囲まれてしまうので、スペースの有効活用が一層重要になってくる。スペースの有効活用が一層重要となる箱状体（１０）内部に背面壁（５）への格納が容易な棚板（２）を設けた本発明は有用な発明といえる。
【００３４】
又、エレベーター籠内部のスペースを有効に活用できる。エレベーター籠内部は建築物の中でもひときわ狭い。ところが、狭い空間であっても腰掛け等の設備が所望される。これは、エレベーターの運行時間が長くなる例えば高層ビル用のエレベーターとか、老齢者、身体障害者等の頻繁な使用が考慮される場合において特に重要な要素となる。又、一方では、エレベーターは使うが腰掛けを特には必要とはしないユーザーも存在する。本発明は、このような相反するユーザーが共に満足して使用することのできるエレベーター籠を提供することができる。腰掛けが必要な際は棚受け突起（３）を突出させて棚板（２）を係止し、必要としない場合は棚受け突起（３）を格納して棚板（２）を背面壁（５）に格納してしまえば良い。
【００３５】
更に、棚板（２）下側に支持脚が存在しないので、棚板（２）を出している際にも、床面を有効に利用できる。
【００３６】
［第２の実施の形態］図４は、本発明の請求項１乃至５に対応する一実施の形態の棚板保持構造を示す説明図である。
【００３７】
このものは、図４に示すように棚受け突起（３）のみが第１の実施の形態と異なる。このものの棚受け突起（３）は、立壁（１）に設けた断面Ｌ字状の穴（３ａ）と回転軸を角部に有した断面略Ｌ字状の突起本体（３ｃ）とからなる。突起本体（３ｃ）を格納した際には、突起本体（３ｃ）の断面Ｌ字と、穴（３ａ）の断面Ｌ字が重なるようにしている。突起本体（３ｃ）が突出した状態においては、突起本体（３ｃ）は角部に設けた回動軸を軸として略９０度回転するので、穴（３ａ）の断面Ｌ字と突起本体（３ｃ）の断面Ｌ字は９０度の位相のずれを生じることになる。この時、突起本体（３ｃ）の一辺端部が穴（３ａ）の角部下面に引っ掛るようにすることで突起本体（３ｃ）は所定の角度、この場合略９０度にて固定され、棚板（２）を受けるに耐えうる強度が確保される。
【００３８】
上記実施の形態の他に、本発明は箱状体（１０）を収納家具としても良い。この場合、収納家具内に収納する収納物の大きさに応じて棚板（２）を格納し、適切な大きさとなる収納スペースを形成することができる。
【００３９】
【発明の効果】
上述の如く、請求項１記載の発明によれば、簡単な構造で、棚板を取り外すことなく棚板が略水平状態で占有していたスペースを有効活用することができ、棚板の保持が一層強固なものとなる。
【００４１】
そして、請求項２記載の発明によれば、棚板を背面壁に納めた状態で固定することができる。
【００４２】
そして、請求項３記載の発明によれば、箱状体内部を有効に使える。
【００４３】
そして、請求項４記載の発明によれば、エレベーター籠内部のスペースを有効に活用できる。
【図面の簡単な説明】
【図１】本発明の第１の実施の形態である棚板保持構造を示す概略図である。（ａ）は棚板格納時を示し、（ｂ）は棚板使用時を示す。
【図２】該棚板保持構造の棚受け突起を示す断面詳細図である。（ａ）は棚受け突起格納時で、（ｂ）は棚受け突起突出時を示す。
【図３】該棚板保持構造のラッチとラッチ受けの納まりを示す断面詳細図である。
【図４】本発明の第２の実施の形態である棚板保持構造の棚受け突起を示す断面詳細図である。（ａ）は棚受け突起格納時で、（ｂ）は棚受け突起突出時を示す。
【図５】本発明の従来例である棚板保持構造を示す概略図である。
【図６】本発明の従来例である棚板保持構造を示す概略図である。
【図７】本発明の従来例である棚板保持構造を示す概略図である。
【図８】本発明の従来例である棚板保持構造を示す概略図である。
【符号の説明】
１    立壁
２    棚板
３    棚受け突起
４    ラッチ
５    背面壁
６    凹部
７    ラッチ受け
８    天板
９    底板
１０  箱状体
【図１】
0004356220.tif 000002
【図２】
0004356220.tif 000003
【図３】
0004356220.tif 000004
【図４】
0004356220.tif 000005
【図５】
0004356220.tif 000006
【図６】
0004356220.tif 000007
【図７】
0004356220.tif 000008
【図８】
0004356220.tif 000009